(57)【特許請求の範囲】
【請求項１】
ａ）第１の寸法形状を有する第１の薬剤容器を受容するように構成された第１の薬剤容器ホルダーであって、前記第１の薬剤容器が第１の薬剤を収容し、前記第１の薬剤容器ホルダーが前記受容された第１の薬剤容器の前記第１の薬剤にアクセスするように構成されている、第１の薬剤容器ホルダーと、
ｂ）異なる第２の寸法形状を有する第２の薬剤容器を受容するように構成された第２の薬剤容器ホルダーであって、前記第２の薬剤容器が異なる第２の薬剤を収容し、前記第２の薬剤容器ホルダーが前記受容された第２の薬剤容器の前記第２の薬剤にアクセスするように構成され、前記第１の薬剤容器ホルダーが、前記第２の寸法形状により前記第２の薬剤容器を受容することを防止するように構成され、前記第２の薬剤容器ホルダーが、前記第１の寸法形状により前記第１の薬剤容器を受容することを防止するように構成されている、第２の薬剤容器ホルダーと、
ｃ）前記第１の薬剤にアクセスするように前記第１の薬剤容器ホルダーに動作可能に接続され、患者に前記第１の薬剤を投与するように構成された第１のポンプアセンブリと、
ｄ）前記第２の薬剤にアクセスするように前記第２の薬剤容器ホルダーに動作可能に接続され、前記患者に前記第２の薬剤を投与するように構成された第２のポンプアセンブリと、
ｅ）前記第１及び第２のポンプアセンブリに動作可能に接続された制御装置であって、医療処置の間に前記患者に前記第１の薬剤を投与する前記第１のポンプアセンブリの第１の流速を制御するようにプログラムされ、かつ前記医療処置の間に前記患者に前記第２の薬剤を投与する前記第２のポンプアセンブリの第２の流速を制御するようにプログラムされている、制御装置と、を備え、
前記第１の薬剤容器が、第１の長手方向中心軸及び同軸上に整列された第１の外周面部分を有し、前記第１の寸法形状が前記第１の外周面部分を少なくとも含み、
前記第２の薬剤容器が、第２の長手方向中心軸及び同軸上に整列された第２の外周面部分を有し、前記第２の寸法形状が前記第２の外周面部分を少なくとも含み、
前記第１の薬剤が鎮静剤であり、前記第２の薬剤が鎮痛剤であり、
前記制御装置は、前記鎮痛剤の負荷用量が最初に投与され、その後、少なくとも１回の前記鎮痛剤の補足的な低容量の用量が長時間にわたって投与されるように前記第２のポンプアセンブリの第２の流速を制御し、
前記制御装置は、前記医療処置の間に前記患者の血圧及び呼吸速度を受信するようにプログラムされ、かつ前記制御装置が、前記第１及び第２の流速のうち少なくとも一方を、少なくとも前記受信した血圧及び呼吸速度の関数として調節するようにプログラムされている、薬剤投与システム。
【請求項２】
前記第１及び第２の薬剤容器がそれぞれ第１及び第２の薬剤バイアルであり、前記第１及び第２のポンプアセンブリがそれぞれ静脈内注入ポンプを含む、請求項１に記載の薬剤投与システム。
【請求項３】
ａ）第１の寸法形状を有する第１の薬剤容器を受容するように構成された第１の薬剤容器ホルダーであって、前記第１の薬剤容器が鎮静剤を収容し、前記第１の薬剤容器ホルダーが前記受容された第１の薬剤容器の前記鎮静剤にアクセスするように構成されている、第１の薬剤容器ホルダーと、
ｂ）異なる第２の寸法形状を有する第２の薬剤容器を受容するように構成された第２の薬剤容器ホルダーであって、前記第２の薬剤容器が鎮痛剤を収容し、前記第２の薬剤容器ホルダーが前記受容された第２の薬剤容器の前記鎮痛剤にアクセスするように構成され、前記第１の薬剤容器ホルダーが、前記第２の寸法形状により前記第２の薬剤容器を受容することを防止するように構成され、前記第２の薬剤容器ホルダーが、前記第１の寸法形状により前記第１の薬剤容器を受容することを防止するように構成されている、第２の薬剤容器ホルダーと、
ｃ）前記鎮静剤にアクセスするように前記第１の薬剤容器ホルダーに動作可能に接続され、患者に前記鎮静剤を投与するように構成された第１のポンプアセンブリと、
ｄ）前記鎮痛剤にアクセスするように前記第２の薬剤容器ホルダーに動作可能に接続され、前記患者に前記鎮痛剤を投与するように構成された第２のポンプアセンブリと、
ｅ）前記第１及び第２のポンプアセンブリに動作可能に接続された制御装置であって、医療処置の間に前記患者に前記鎮静剤を投与する前記第１のポンプアセンブリの第１の流速を制御するようにプログラムされ、かつ前記医療処置の間に前記患者に前記鎮痛剤を投与する前記第２のポンプアセンブリの第２の流速を制御するようにプログラムされている、制御装置と、を備え、
前記第１の薬剤容器が、第１の長手方向中心軸及び同軸上に整列された第１の外周面部分を有し、前記第１の寸法形状が前記第１の外周面部分を少なくとも含み、
前記第２の薬剤容器が、第２の長手方向中心軸及び同軸上に整列された第２の外周面部分を有し、前記第２の寸法形状が前記第２の外周面部分を少なくとも含み、
前記制御装置は、前記鎮痛剤の負荷用量が最初に投与され、その後、少なくとも１回の前記鎮痛剤の補足的な低容量の用量が長時間にわたって投与されるように前記第２のポンプアセンブリの第２の流速を制御し、
前記制御装置は、前記医療処置の間に前記患者の血圧及び呼吸速度を受信するようにプログラムされ、かつ前記制御装置が、前記第１及び第２の流速のうち少なくとも一方を、少なくとも前記受信した血圧及び呼吸速度の関数として調節するようにプログラムされている、薬剤投与システム。
【請求項４】
前記第１及び第２の薬剤容器がそれぞれ第１及び第２の薬剤バイアルであり、前記第１及び第２のポンプアセンブリがそれぞれ静脈内注入ポンプを含む、請求項３に記載の薬剤投与システム。
【請求項５】
３個又は４個以上の薬剤容器ホルダーを備える、請求項１に記載の薬剤投与システム。
【請求項６】
前記３個又は４個以上の薬剤容器ホルダーにそれぞれ動作可能に接続された３個又は４個以上のポンプアセンブリを備える、請求項５に記載の薬剤投与システム。
【請求項７】
前記３又は４個個以上の薬剤容器ホルダーにそれぞれ動作可能に接続された３個又は４個以上のポンプアセンブリを備える、請求項１に記載の薬剤投与システム。
【発明の詳細な説明】
【技術分野】
【０００１】
本発明は医療技術に一般的に関し、より詳細には薬剤容器ホルダー及びポンプアセンブリを有する薬剤投与システムに関する。
【背景技術】
【０００２】
公知の薬剤投与システムとしては、薬剤投与意識下鎮静システムなどの薬剤投与鎮静システムがある。公知の薬剤投与意識下鎮静システムの１つが、米国特許出願公開第２００２／００１７２９９号に開示されている。このシステムは、制御装置によって患者の生理学的パラメータ（血圧など）を分析し、患者からの所定の反応を要求するというものであった。制御装置は要求と反応との間の時間の遅れを分析して、患者の鎮静レベルを判定していた。要求と反応との間の時間の遅れが大きくなった時点で、制御装置は患者が深い鎮静レベルにあるものと判定し、患者への意識下鎮静剤の流量を減らすというものであった。
【０００３】
意識下鎮静剤が入った薬剤バイアルが、薬剤投与カセットアセンブリの薬剤容器ホルダーのスパイクの上に置かれることによって薬剤バイアルの薬剤シールに穿孔する、薬剤投与システムが知られている。ペリスタルティックポンプがスパイクの薬物管腔と流体連通しており、制御装置がポンプを制御することによって、医療処置の間に患者に意識下鎮静剤が投与される。処置に先立って、患者に鎮痛剤もボーラス投与される。
【発明の概要】
【発明が解決しようとする課題】
【０００４】
依然、科学者及び技術者は、薬剤容器ホルダー及びポンプアセンブリを備える改良された薬剤投与システムを追求し続けている。
【課題を解決するための手段】
【０００５】
本発明の第１の実施形態の第１の表現形態は、第１及び第２の薬剤容器ホルダー、並びに第１及び第２のポンプアセンブリを備える薬剤投与システムについてのものである。第１の薬剤容器ホルダーは、第１の寸法形状を有する第１の薬剤容器を受容するように構成されており、第１の薬剤容器は第１の薬剤を収容し、第１の薬剤容器ホルダーは受容された第１の薬剤容器の第１の薬剤にアクセスするように構成されている。第２の薬剤容器ホルダーは、異なる第２の寸法形状を有する第２の薬剤容器を受容するように構成されており、第２の薬剤容器は異なる第２の薬剤を収容し、第２の薬剤容器ホルダーは受容された第２の薬剤容器の第２の薬剤にアクセスするように構成されている。第１の薬剤容器ホルダーは、第２の寸法形状により第２の薬剤容器を受容することを防止するように構成され、第２の薬剤容器ホルダーは、第１の寸法形状により第１の薬剤容器を受容することを防止するように構成されている。第１のポンプアセンブリは、第１の薬剤にアクセスするように第１の薬剤容器ホルダーに動作可能に接続され、患者に第１の薬剤を投与するように構成されている。第２のポンプアセンブリは、第２の薬剤にアクセスするように第２の薬剤容器ホルダーに動作可能に接続され、患者に第２の薬剤を投与するように構成されている。無論、２個又は３個以上のポンプアセンブリを、２個又は３個以上の薬剤容器と組み合わせて使用した他の実施形態も可能である。
【０００６】
本発明の第１の実施形態の第２の表現形態は、第１及び第２の薬剤容器ホルダー、第１及び第２のポンプアセンブリ、並びに制御装置を備える薬剤投与システムについてのものである。第１の薬剤容器ホルダーは、第１の寸法形状を有する第１の薬剤容器を受容するように構成されており、第１の薬剤容器は鎮静剤を収容し、第１の薬剤容器ホルダーは受容された第１の薬剤容器の鎮静剤にアクセスするように構成されている。第２の薬剤容器ホルダーは、異なる第２の寸法形状を有する第２の薬剤容器を受容するように構成されており、第２の薬剤容器は鎮痛剤を収容し、第２の薬剤容器ホルダーは受容された第２の薬剤容器の鎮痛剤にアクセスするように構成されている。第１の薬剤容器ホルダーは、第２の寸法形状により第２の薬剤容器を受容することを防止するように構成され、第２の薬剤容器ホルダーは、第１の寸法形状により第１の薬剤容器を受容することを防止するように構成されている。第１のポンプアセンブリは、鎮静剤にアクセスするように第１の薬剤容器ホルダーに動作可能に接続され、患者に鎮静剤を投与するように構成されている。第２のポンプアセンブリは、鎮痛剤にアクセスするように第２の薬剤容器ホルダーに動作可能に接続され、患者に鎮痛剤を投与するように構成されている。制御装置は、第１及び第２のポンプアセンブリに動作可能に接続されている。制御装置は、医療処置の間に患者に鎮静剤を投与する第１のポンプアセンブリの第１の流速を制御するようにプログラムされ、かつその医療処置の間に患者に鎮痛剤を投与する第２のポンプアセンブリの第２の流速を制御するようにプログラムされている。
【０００７】
本発明の第２の実施形態の第１の表現形態は、第１及び第２のバーコードスキャナー、第１及び第２の薬剤容器ホルダー、並びに第１及び第２のポンプアセンブリを備える薬剤投与システムについてのものである。第１の薬剤容器ホルダーは、第１の寸法形状を有する第１の薬剤容器を受容するとともに、第１の薬剤容器の、ある位置に配置された第１のバーコードを、第１の寸法形状により第１のバーコードスキャナーと対向する向きとするように構成されている。第１の薬剤容器は第１の薬剤を収容し、第１の薬剤容器ホルダーは受容された第１の薬剤容器の第１の薬剤にアクセスするように構成されている。第２の薬剤容器ホルダーは、第２の寸法形状を有する第２の薬剤容器を受容するとともに、第２の薬剤容器の、ある位置に配置された第２のバーコードを、第２の寸法形状により第２のバーコードスキャナーと対向する向きとするように構成されている。第２の薬剤容器は第２の薬剤を収容し、第２の薬剤容器ホルダーは受容された第２の薬剤容器の第２の薬剤にアクセスするように構成されている。第１のポンプアセンブリは、第１の薬剤にアクセスするように第１の薬剤容器ホルダーに動作可能に接続され、患者に第１の薬剤を投与するように構成されている。第２のポンプアセンブリは、第２の薬剤にアクセスするように第２の薬剤容器ホルダーに動作可能に接続され、患者に第２の薬剤を投与するように構成されている。この実施形態では、第１及び第２の寸法形状は同じであってもよく、あるいはこれらは異なっていてもよい。第１及び第２の寸法形状が同じである場合、バーコードをバーコードスキャナーと対向させるようなある形状が選択される。バーコードスキャナーは正しい薬剤を確認し、どのポンプが鎮痛剤を投与し、どのポンプが鎮静剤を有するかを判定するための手段である。
【０００８】
本発明の第２の実施形態の第２の表現形態は、第１及び第２のバーコードスキャナー、第１及び第２の薬剤容器ホルダー、並びに第１及び第２のポンプアセンブリを備える薬剤投与システムについてのものである。第１の薬剤容器ホルダーは、第１の寸法形状を有する第１の薬剤容器を受容するとともに、第１の薬剤容器の、ある位置に配置された第１のバーコードを、第１の寸法形状により第１のバーコードスキャナーと対向する向きとするように構成されている。この実施形態の第１の態様では、第１の薬剤容器は鎮静剤を収容し、第１の薬剤容器ホルダーは受容された第１の薬剤容器の鎮静剤にアクセスするように構成されている。第２の薬剤容器ホルダーは、第２の寸法形状を有する第２の薬剤容器を受容するとともに、第２の薬剤容器の、ある位置に配置された第２のバーコードを、第２の寸法形状により第２のバーコードスキャナーと対向する向きとするように構成されている。この実施形態の態様の１つでは、第２の薬剤容器は鎮痛剤を収容し、第２の薬剤容器ホルダーは受容された第２の薬剤容器の鎮痛剤にアクセスするように構成されている。第１のポンプアセンブリは、鎮静剤にアクセスするように第１の薬剤容器ホルダーに動作可能に接続され、患者に鎮静剤を投与するように構成されている。第２のポンプアセンブリは、鎮痛剤にアクセスするように第２の薬剤容器ホルダーに動作可能に接続され、患者に鎮痛剤を投与するように構成されている。制御装置は、第１及び第２のバーコードスキャナーに、更に第１及び第２のポンプアセンブリに動作可能に接続されている。制御装置は、ある医療処置に対して、スキャンした第１及び第２のバーコードから第１の薬剤容器の鎮静剤及び第２の薬剤容器の鎮痛剤の種類を確認するようにプログラムされており、確認がなされれば、制御装置は、医療処置の間に患者に鎮静剤を投与する第１のポンプアセンブリの第１の流速を制御し、かつ、医療処置の間に患者に鎮痛剤を投与する第２のポンプアセンブリの第２の流速を制御するように構成されている。この実施形態の別の態様では、第１の薬剤容器が鎮痛剤を含み、第２の薬剤容器が鎮静剤を含みうる。やはりこの実施形態においても、第１及び第２の寸法形状が同じであってもよく、あるいはこれらが異なっていてもよい。第１及び第２の寸法形状が同じである場合、バーコードをバーコードスキャナーと対向させるようなある形状が選択される。バーコードスキャナーは正しい薬剤を確認し、どのポンプが鎮痛剤を投与し、どのポンプが鎮静剤を有するかを判定するための手段である。
【０００９】
第２の実施形態の更なる態様では、鎮痛剤（例えばフェンタニール）の負荷用量を処置の開始時に投与した後、補足的な低容量の用量を長時間にわたって投与することができる（例えば、３０秒にわたって１ｍｃｇ）。この投与は自動化されてもよく、あるいはＰＲＮと同様の使用者の動作によって投与することができる。フェンタニールが投与される場合、システムにおいて、薬剤の増量を防止する（「ｇｒｅｙ  ｏｕｔ  ｕｐ  ａｒｒｏｗ」）、プロポフォールの投与量を低減する、１５秒毎のＡＲＭ、保守的なレベル（イエローよりも高い）の低量のプロポフォール又はフェンタニールを開始する、低い呼吸速度を誘発する、酸素供給量を高める、などの患者の安全性を高めるための特定の安全措置を講じることができる。これらの保守的処置は、フェンタニールなどの更なる鎮痛剤と関連した時間間隔に限定されたものとなりうる。
【００１０】
本発明の実施形態の１又は２以上の表現形態から複数の効果及び利点が得られる。第１の実施形態の１つの例では、医療処置の間に制御装置が第１のポンプアセンブリを制御して患者に鎮静剤を投与するとともに、その医療処置の間に第２のポンプアセンブリを制御してその患者に鎮痛剤を投与することを必要とする医療処置において、使用者が薬剤容器ホルダー上に誤った薬剤容器を取り付けることを異なる寸法形状により防止する。第２の実施形態の１つの例では、医療処置の間に制御装置が第１のポンプアセンブリを制御して患者に鎮静剤を投与するとともに、その医療処置の間に第２のポンプアセンブリを制御してその患者に鎮痛剤を投与することを必要とする医療処置において、使用者が薬剤容器ホルダーに誤った薬剤容器を使用することを防止するためにバーコードスキャナーが使用される。一方又は両方の実施形態の１つの例示形態では、医療処置の全体を通じて鎮静剤の流速を調節する必要があり、かつ、その医療処置の全体を通じて鎮痛剤の流速を調節する必要がある医療処置をより長時間にわたって行うことが可能であり、鎮痛剤の治療前のボーラス投与の効果が、より長時間の医療処置が終了する前に徐々に消失する。
【図面の簡単な説明】
【００１１】
【図１】第１及び第２の薬剤容器ホルダーを備える、本発明の薬剤投与システムの第１の実施形態の概略図。
【図２】それぞれ第１及び第２の薬剤容器ホルダーに第１及び第２の薬剤容器が取り付けられ、患者に薬剤投与システムが動作可能に接続された、図１と同様の図。
【図３】第１の薬剤容器ホルダーによって受容された第１の薬剤容器の第１の寸法形状を示す、図２の３−３線に沿った図２の第１の薬剤容器ホルダー及び第１の薬剤容器の断面図。円筒状の容器が示されているが、三角形、長方形、六角形、又は多角形などの任意の形状を用いることができる。
【図４】第２の薬剤容器ホルダーによって受容された第２の薬剤容器の第２の寸法形状を示す、図２の４−４線に沿った図２の第２の薬剤容器ホルダー及び第２の薬剤容器の断面図。
【図５】第１の薬剤容器の薬剤シールに穿孔した第１の薬剤容器ホルダーのスパイクを示す、図２の５−５線に沿った図２の第１の薬剤容器ホルダー及び第１の薬剤容器の断面図。
【図６】第１及び第２の薬剤容器ホルダー、並びに第１及び第２のバーコードスキャナーを備える、本発明の薬剤投与システムの第２の実施形態の概略図。
【図７】それぞれ第１及び第２の薬剤容器ホルダーに第１及び第２の薬剤容器が取り付けられ、患者に薬剤投与システムが動作可能に接続された、図６と同様の図。
【図８】第１の薬剤容器ホルダーによって受容された第１の薬剤容器の第１の寸法形状を示す、図７の８−８線に沿った図７の第１の薬剤容器ホルダー及び第１の薬剤容器の断面図。
【図９】第１の寸法形状と同じである第２の薬剤容器ホルダーによって受容された第２の薬剤容器の第２の寸法形状を示す、図７の９−９線に沿った図７の第２の薬剤容器ホルダー及び第２の薬剤容器の断面図。
【図１０】図７の１０−１０線に沿った図７の第１の薬剤容器のバーコード領域の図。
【図１１】図７の１１−１１線に沿った図７の第２の薬剤容器のバーコード領域の図。
【発明を実施するための形態】
【００１２】
本発明の幾つかの実施形態の幾つかの表現形態を詳細に説明するのに先立って、各々はその応用形態又は使用形態において、付属の図面及び説明文において説明される部材の構造及び配置、指示、並びに工程の細部に限定されるものではない点に留意すべきである。本発明の例示的な実施形態は、他の実施形態、変形形態、及び改変形態として実施又は実行することが可能であり、様々な方法で実施あるいは実行することが可能である。更に、特に断らないかぎりは、本明細書において用いる専門用語は、読者の便宜のために本発明の実施形態の例示的な表現を記述する目的で選ばれたものであって、本発明を限定する目的のものではない。
【００１３】
以下に述べる薬剤投与システムの表現形態、その実行形態などのいずれか１つ又は２つ以上を、その他の以下に述べる薬剤投与システムの表現形態、その実行形態などのいずれか１つ又は２つ以上と組み合わせることが可能である点は更に理解される。
【００１４】
本発明の第１の実施形態を図１〜５に示す。図１〜５の実施形態の第１の表現形態は、第１及び第２の薬剤容器ホルダー１２及び１４、並びに第１及び第２のポンプアセンブリ１６及び１８を備える薬剤投与システム１０についてのものである。第１の薬剤容器ホルダー１２は、第１の寸法形状を有する第１の薬剤容器２０を受容するように構成されており、第１の薬剤容器２０は第１の薬剤２２を収容し、第１の薬剤容器ホルダー１２は、受容された第１の薬剤容器２０の第１の薬剤２２にアクセスするように構成されている。第２の薬剤容器ホルダー１４は、異なる第２の寸法形状を有する第２の薬剤容器２４を受容するように構成されており、第２の薬剤容器２４は異なる第２の薬剤２６を収容し、第２の薬剤容器ホルダー１４は、受容された第２の薬剤容器２４の第２の薬剤２６にアクセスするように構成されている。第１の薬剤容器ホルダー１２は、第２の寸法形状により第２の薬剤容器２４を受容することを防止するように構成され、第２の薬剤容器ホルダー１４は、第１の寸法形状により第１の薬剤容器２０を受容することを防止するように構成されている。第１のポンプアセンブリ１６は、第１の薬剤２２にアクセスするように第１の薬剤容器ホルダー１２に動作可能に接続され、患者２８に第１の薬剤２２を投与するように構成されている。第２のポンプアセンブリ１８は、第２の薬剤２６にアクセスするように第２の薬剤容器ホルダー１４に動作可能に接続され、患者２８に第２の薬剤２６を投与するように構成されている。
【００１５】
図１〜５の実施形態の第１の表現形態の実行形態の１つでは、第１の薬剤容器２０は、第１の長手方向中心軸３０（図２では破線で、図３では点として見られる）及び同軸上に整列された第１の外周面部分３２を有し、第１の寸法形状は第１の外周面部分３２を少なくとも含んでいる。図３に見られるような１つの例では、第１の外周面部分３２は２個の直径を挟んで反対に配置された短い又は長いリブ３４を有する円形である。この例では、第１の薬剤容器ホルダー１２は第１の薬剤容器２０を受容するように構成された内面を有しており、その内面は、２個の対応する直径を挟んで反対に配置された長手方向に延びる内面溝を有する円形の形状を有している。この例では、第１の薬剤容器２０は第１のプラグ形状を有しており、第１の薬剤容器ホルダー１２は第１の薬剤容器２０を嵌合受容する（ただし第２の薬剤容器２４は受容しない）ような対応した第１のソケット形状を有している。
【００１６】
同じ又は異なる実行形態において、第２の薬剤容器２４は、第２の長手方向中心軸３６及び同軸上に整列された第２の外周面部分３８を有し、第２の寸法形状は第２の外周面部分３８を少なくとも含んでいる。図４に見られるように１つの例では、第２の外周面部分３８は、それぞれ０°（上のリブ４０）、１３５°（右下のリブ４０）、及び２２５°（左下のリブ４０）に配置された３個のリブ４０を有する円形である。この例では、第２の薬剤容器ホルダー１４は、第２の薬剤容器２４を受容するように構成された内面を有しており、その内面は、それぞれ０°、１３５°、及び２２５°に配置された３本の対応した長手方向に延びる内面溝を有する円形の形状を有している。この例では、第２の薬剤容器２４は第２のプラグ形状を有しており、第２の薬剤容器ホルダー１４は第２の薬剤容器２４を嵌合受容する（ただし第１の薬剤容器２０は受容しない）ような対応した第２のソケット形状を有している。
【００１７】
図３に見られる第１の薬剤容器２０の第１の寸法形状が、図４に見られる第２の薬剤容器ホルダー１４によって第１の薬剤容器２０が受容されることを防止し、図４に見られる第２の薬剤容器２４の第２の寸法形状が、図３に見られる第１の薬剤容器ホルダー１２によって第２の薬剤容器２４が受容されることを防止するものとなっている点に注意されたい。他の第１及び第２の寸法形状（例えば、角を形成したもの、多角形、円弧状、リブを形成したものなど）については、当業者に委ねる。小さな円及び大きな円は同じ形状を有すると言うことができるが、小さい円は寸法が小さく、大きい円は寸法が大きいため、これらは同じ寸法形状を有していない点にも注意されたい。
【００１８】
図１〜５の実施形態の第１の表現形態の実施可能性の１つでは、第１の薬剤２２は鎮静剤であり、第２の薬剤２６は鎮痛剤であり、医療処置は意識下鎮静（軽度から中度の鎮静法としても知られる）医療処置である。第１の異なる実施可能性では、両薬剤は異なる鎮静剤又は異なる鎮痛剤である。第２の異なる実施可能性では、２つの薬剤の一方が鎮静剤又は鎮痛剤であり、２つの薬剤の他方が抗不安剤（amnesic drug）である。他の実施可能性の他の異なる薬剤については、当業者に委ねる。
【００１９】
図１〜５の実施形態の第１の表現形態の１つの応用形態では、第１及び第２の薬剤容器２０及び２４はそれぞれ第１及び第２の薬剤バイアルである。他の種類の薬剤容器としては、予め充填された薬剤注射器がある（ただしバリエーションはない）。同じ、又は異なる応用形態において、第１及び第２のポンプアセンブリ１６及び１８は、静脈内注入ポンプ４２及び４２をそれぞれ含む。１つの例では、静脈内注入ポンプ４２及び４４はそれぞれ静脈内注入ペリスタルティックポンプである。他の種類のポンプについては、当業者に委ねる。
【００２０】
図１〜５の実施形態の第１の表現形態の１つの構成では、チューブ４６及び４８がそれぞれ、第１の薬剤２２を第１の薬剤容器ホルダー１２から第１のポンプアセンブリ１６へ、第２の薬剤２６を第２の薬剤容器ホルダー１４から第２のポンプアセンブリ１８へと搬送する。同じ、又は異なる構成において、静脈内チューブ５０及び５２がそれぞれ、第１の薬剤２２を第１のポンプアセンブリ１６から患者２８へ、第２の薬剤２６を第２のポンプアセンブリ１８から患者２８へと搬送する。
【００２１】
図１〜５の実施形態の第１の表現形態の１つの配置では、第１の薬剤容器ホルダー１２は、第１の薬剤容器ホルダー１２によって第１の薬剤容器２０が受容される際に、第１の薬剤容器２０の薬剤シール５５に穿孔するスパイク５４を含んでいる。スパイク５４は、第１の薬剤２２を第１の薬剤容器２０からチューブ４６に搬送するための薬剤管腔５６を含んでいる。スパイク５４の空気供給管腔は、説明を簡単にするために図５から省略してある点に注意されたい。
【００２２】
図１〜５の実施形態の第２の表現形態は、第１の薬剤２２が鎮静剤であり、第２の薬剤２６が鎮痛剤であり、制御装置５８が加えられている点以外は、段落番号［００２８］の第１の表現形態と同じものである。制御装置５８は、第１及び第２のポンプアセンブリ１６及び１８に動作可能に接続されている。制御装置５８は、医療処置の間に患者２８に鎮静剤を投与する（第１の薬剤２２が鎮静剤である場合）第１のポンプアセンブリ１６の第１の流速を制御するようにプログラムされ、かつ制御装置５８は、その医療処置の間に患者２８に鎮痛剤を投与する（第２の薬剤２６が鎮痛剤である場合）第２のポンプアセンブリ１８の第２の流速を制御するようにプログラムされている。
【００２３】
図１〜５の実施形態の第１の表現形態の実行形態、応用、配置などは、図１〜５の実施形態の第２の表現形態にも同様に適用可能である点に留意されたい。本発明を、２個の容器を用いたシステムによって説明したが、本明細書の教示に基づいて任意の適当な数の容器を用いることができることは明らかであろう。
【００２４】
図１〜５の実施形態の第２の表現形態の拡張形態の１つでは、制御装置５８は、医療処置の間に患者２８の複数の生理学的パラメータを受信するようにプログラムされ、かつ制御装置５８は、第１及び第２の流速のうち少なくとも一方を、少なくとも受信した生理学的パラメータの関数として調節するようにプログラムされている。１つの例では、生理学的パラメータとして血圧及び呼吸速度が挙げられ、その場合、血圧は患者２８に動作可能に接続された自動血圧カフ６０を使用して導出され、呼吸速度は患者２８に動作可能に接続された口腔鼻腔カニューレ６２からの圧力測定値を用いて導出されるものであり、こうした血圧及び呼吸速度の導出は、当業者には周知のものである。１つの例示形態では、ケーブル６４が制御装置５８を第１及び第２のポンプアセンブリ１６及び１８に別々に接続し、更に制御装置５８を血圧カフ６０及び口腔鼻腔カニューレ６２に別々に接続する。他の動作可能な接続としては、これに限定されないが、無線通信が挙げられる。
【００２５】
図１〜５の実施形態の第１及び／又は第２の表現形態の１つの実現形態では、薬剤投与システム１０は第１及び第２の薬剤容器２０及び２４を含む。
【００２６】
本発明の第２の実施形態を図６〜１１に示す。図６〜１１の実施形態の第１の表現形態は、第１及び第２のバーコードスキャナー１１２及び１１４、第１及び第２の薬剤容器ホルダー１１６及び１１８、並びに第１及び第２のポンプアセンブリ１２０及び１２２を備える薬剤投与システム１１０についてのものである。第１の薬剤容器ホルダー１１６は、第１の寸法形状を有する第１の薬剤容器１２４を受容するとともに、第１の薬剤容器１２４の、ある位置に配置された第１のバーコード１２６を、第１の寸法形状により第１のバーコードスキャナー１１２と対向する向きとするように構成されている。第１の薬剤容器１２４は第１の薬剤１２８を収容し、第１の薬剤容器ホルダー１１６は受容された第１の薬剤容器１２４の第１の薬剤１２８にアクセスするように構成されている。第２の薬剤容器ホルダー１１８は、第２の寸法形状を有する第２の薬剤容器１３０を受容するとともに、第２の薬剤容器１３０の、ある位置に配置された第２のバーコード１３２を、第２の寸法形状により第２のバーコードスキャナー１１４と対向する向きとするように構成されている。第２の薬剤容器１３０は第２の薬剤１３４を収容し、第２の薬剤容器ホルダー１１８は受容された第２の薬剤容器１３０の第２の薬剤１３４にアクセスするように構成されている。第１のポンプアセンブリ１２０は、第１の薬剤１２８にアクセスするように第１の薬剤容器ホルダー１１６に動作可能に接続され、患者１３６に第１の薬剤１２８を投与するように構成されている。第２のポンプアセンブリ１２２は、第２の薬剤１３４にアクセスするように第２の薬剤容器ホルダー１１８に動作可能に接続され、患者１３６に第２の薬剤１３４を投与するように構成されている。
【００２７】
図６〜１１の実施形態の第１の表現形態の実施可能性の１つでは、第１の薬剤１２８は鎮静剤であり、第２の薬剤１３４は鎮痛剤であり、医療処置は意識下鎮静医療処置である。図６〜１１の実施形態の第１の表現形態の１つの応用形態では、第１及び第２の薬剤容器１２４及び１３０はそれぞれ第１及び第２の薬剤バイアルである。同じ、又は異なる応用形態において、第１及び第２のポンプアセンブリ１２０及び１２２は、静脈内注入ポンプ１３８及び１４０をそれぞれ含む。
【００２８】
図６〜１１の実施形態の第１の表現形態の配置の１つでは、第１及び第２の寸法形状は同じである（図に示されない異なる配置では、第１及び第２の寸法形状は異なっている）。実行形態の１つでは、第１の薬剤容器１２４は、第１の長手方向中心軸１４２及び同軸上に整列された第１の外周面部分１４４を有し、第１の寸法形状は第１の外周面部分１４４を少なくとも含んでいる。図８に見られるように１つの例では、第１の外周面部分１４４は、それぞれ４５°（右上のリブ１４６）、１３５°（右下のリブ１４６）、及び２７０°（左のリブ１４６）に配置された３個のリブ１４６を有する円形である。他の形状を使用することもできる。
【００２９】
この例では、第１の薬剤容器ホルダー１１６は、第１の薬剤容器１２４を受容するように構成された内面を有しており、その内面は、それぞれ４５°、１３５°、及び２７０°に配置された３本の対応した長手方向に延びる内面溝を有する円形の形状を有している。この例では、第１の薬剤容器１２４は第１のプラグ形状を有しており、第１の薬剤容器ホルダー１１６は第１の薬剤容器１２４を嵌合受容するような対応した第１のソケット形状を有している。この例では、図１０に見られるように、第１のバーコード１２６は、受容された第１の薬剤容器１２４の第１のバーコード１２６を第１のバーコードスキャナー１１２によってスキャンすることができるよう、図８の左のリブ１４６と回転方向において整列させて図７の第１の薬剤容器１２４上に配置される。
【００３０】
この例では、第２の寸法形状（図９に見られる）は第１の寸法形状（図８に見られる）と同じであるが、１８０°回転させられている。この例では、図１１に見られるように、第２のバーコード１３２は、受容された第２の薬剤容器１３０の第２のバーコード１３２を第２のバーコードスキャナー１１４によってスキャンすることができるよう、図９の第２の薬剤容器１３０の右のリブ１４８と回転方向において整列させて図７の第２の薬剤容器１３０上に配置される。
【００３１】
図６〜１１の実施形態の第２の表現形態は、第１の薬剤１２８が鎮静剤であり、第２の薬剤１３４が鎮痛剤であり、制御装置１５０が加えられている点以外は、段落番号［００４０］の第１の表現形態と同じものである。制御装置１５０は、第１及び第２のバーコードスキャナー１１２及び１１４に、更に第１及び第２のポンプアセンブリ１２０及び１２２に動作可能に接続されている。制御装置１５０は、ある医療処置に対してスキャンした第１及び第２のバーコード１２６及び１３２から第１の薬剤容器１２４の鎮静剤及び第２の薬剤容器１３０の鎮痛剤の種類を確認するようにプログラムされており、確認がなされれば、制御装置１５０は、医療処置の間に患者１３６に鎮静剤を投与する第１のポンプアセンブリ１２０の第１の流速を制御し、かつ、医療処置の間に患者１３６に鎮痛剤を投与する第２のポンプアセンブリ１２２の第２の流速を制御するように構成されている。
【００３２】
図１〜５の実施形態の第１の表現形態の実行形態、応用、配置などは、図６〜１１の実施形態の第２の表現形態にも同様に適用可能である点に留意されたい。図２の実施形態と同様、図７の実施形態もまた、血圧カフ１５２、口腔鼻腔カニューレ１５４、ケーブル１５６、チューブ１５８及び１６０、並びに静脈内チューブ１６２及び１６４を示している。
【００３３】
図６〜１１の実施形態の第２の表現形態の拡張形態の１つでは、制御装置１５０は、医療処置の間に患者１３６の複数の生理学的パラメータを受信するようにプログラムされ、かつ制御装置１５０は、第１及び第２の流速のうち少なくとも一方を、少なくとも受信した生理学的パラメータの関数として調節するようにプログラムされている。１つの例では、生理学的パラメータとして血圧及び呼吸速度が挙げられ、その場合、血圧は患者１３６に動作可能に接続された自動血圧カフ１５２を使用して導出され、呼吸速度は患者１３６に動作可能に接続された口腔鼻腔カニューレ１５４からの圧力測定値を用いて導出されるものであり、こうした血圧及び呼吸速度の導出は、当業者には周知のものである。１つの例示では、ケーブル１５６が制御装置１５０を第１及び第２のバーコードスキャナー１１２及び１１４に別々に接続し、制御装置１５０を第１及び第２のポンプアセンブリ１２０及び１２２に別々に接続し、更に制御装置１５０を血圧カフ１５２及び口腔鼻腔カニューレ１５４に別々に接続する。他の動作可能な接続としては、これに限定されないが、無線通信が挙げられる。
【００３４】
図６〜１１の実施形態の第１及び／又は第２の表現形態の１つの実現形態では、薬剤投与システム１１０は第１及び第２の薬剤容器１２４及び１３０を含む。
【００３５】
本発明の実施形態の１又は２以上の表現形態から複数の効果及び利点が得られる。第１の実施形態の１つの例では、医療処置の間に制御装置が第１のポンプアセンブリを制御して患者に鎮静剤を投与するとともに、その医療処置の間に第２のポンプアセンブリを制御してその患者に鎮痛剤を投与することを必要とする医療処置において、使用者が薬剤容器ホルダー上に誤った薬剤容器を取り付けることを異なる寸法形状により防止する。第２の実施形態の１つの例では、医療処置の間に制御装置が第１のポンプアセンブリを制御して患者に鎮静剤を投与するとともに、その医療処置の間に第２のポンプアセンブリを制御してその患者に鎮痛剤を投与することを必要とする医療処置において、使用者が薬剤容器ホルダーに誤った薬剤容器を使用することを防止するためにバーコードスキャナーが使用される。一方又は両方の実施形態の１つの例示形態では、医療処置の全体を通じて鎮静剤の流速を調節する必要があり、かつ、その医療処置の全体を通じて鎮痛剤の流速を調節する必要がある医療処置をより長時間にわたって行うことが可能であり、鎮痛剤の治療前のボーラス投与の効果が、より長時間の医療処置が終了する前に徐々に消失する。
【００３６】
以上、本発明を、幾つかの実施形態の表現形態、及びその実施可能性、応用形態などにより説明したが、付属の「特許請求の範囲」の趣旨及び範囲をこうした詳細に制限又は限定することは出願人の意図するところではない。当業者には、本発明の範囲を逸脱することなく多くの他の変更、変化、及び置換が想到されるであろう。上記の説明文は一例として与えられたものであって、当業者であれば付属の「特許請求の範囲」の範囲及び趣旨を逸脱することなく他の変更が想到されうるものであることを理解されたい。
【００３７】
〔実施の態様〕
（１）  ａ）第１の寸法形状を有する第１の薬剤容器を受容するように構成された第１の薬剤容器ホルダーであって、前記第１の薬剤容器が第１の薬剤を収容し、前記第１の薬剤容器ホルダーが前記受容された第１の薬剤容器の前記第１の薬剤にアクセスするように構成されている、第１の薬剤容器ホルダーと、
ｂ）異なる第２の寸法形状を有する第２の薬剤容器を受容するように構成された第２の薬剤容器ホルダーであって、前記第２の薬剤容器が異なる第２の薬剤を収容し、前記第２の薬剤容器ホルダーが前記受容された第２の薬剤容器の前記第２の薬剤にアクセスするように構成され、前記第１の薬剤容器ホルダーが、前記第２の寸法形状により前記第２の薬剤容器を受容することを防止するように構成され、前記第２の薬剤容器ホルダーが、前記第１の寸法形状により前記第１の薬剤容器を受容することを防止するように構成されている、第２の薬剤容器ホルダーと、
ｃ）前記第１の薬剤にアクセスするように前記第１の薬剤容器ホルダーに動作可能に接続され、患者に前記第１の薬剤を投与するように構成された第１のポンプアセンブリと、
ｄ）前記第２の薬剤にアクセスするように前記第２の薬剤容器ホルダーに動作可能に接続され、前記患者に前記第２の薬剤を投与するように構成された第２のポンプアセンブリと、を備える、薬剤投与システム。
（２）  前記第１の薬剤容器が、第１の長手方向中心軸及び同軸上に整列された第１の外周面部分を有し、前記第１の寸法形状が前記第１の外周面部分を少なくとも含んでいる、実施態様１に記載の薬剤投与システム。
（３）  前記第２の薬剤容器が、第２の長手方向中心軸及び同軸上に整列された第２の外周面部分を有し、前記第２の寸法形状が前記第２の外周面部分を少なくとも含んでいる、実施態様２に記載の薬剤投与システム。
（４）  前記第１の薬剤が鎮静剤であり、前記第２の薬剤が鎮痛剤である、実施態様３に記載の薬剤投与システム。
（５）  前記第１及び第２の薬剤容器がそれぞれ第１及び第２の薬剤バイアルであり、前記第１及び第２のポンプアセンブリがそれぞれ静脈内注入ポンプを含む、実施態様４に記載の薬剤投与システム。
（６）  ａ）第１の寸法形状を有する第１の薬剤容器を受容するように構成された第１の薬剤容器ホルダーであって、前記第１の薬剤容器が鎮静剤を収容し、前記第１の薬剤容器ホルダーが前記受容された第１の薬剤容器の前記鎮静剤にアクセスするように構成されている、第１の薬剤容器ホルダーと、
ｂ）異なる第２の寸法形状を有する第２の薬剤容器を受容するように構成された第２の薬剤容器ホルダーであって、前記第２の薬剤容器が鎮痛剤を収容し、前記第２の薬剤容器ホルダーが前記受容された第２の薬剤容器の前記鎮痛剤にアクセスするように構成され、前記第１の薬剤容器ホルダーが、前記第２の寸法形状により前記第２の薬剤容器を受容することを防止するように構成され、前記第２の薬剤容器ホルダーが、前記第１の寸法形状により前記第１の薬剤容器を受容することを防止するように構成されている、第２の薬剤容器ホルダーと、
ｃ）前記鎮静剤にアクセスするように前記第１の薬剤容器ホルダーに動作可能に接続され、患者に前記鎮静剤を投与するように構成された第１のポンプアセンブリと、
ｄ）前記鎮痛剤にアクセスするように前記第２の薬剤容器ホルダーに動作可能に接続され、前記患者に前記鎮痛剤を投与するように構成された第２のポンプアセンブリと、
ｅ）前記第１及び第２のポンプアセンブリに動作可能に接続された制御装置であって、医療処置の間に前記患者に前記鎮静剤を投与する前記第１のポンプアセンブリの第１の流速を制御するようにプログラムされ、かつ前記医療処置の間に前記患者に前記鎮痛剤を投与する前記第２のポンプアセンブリの第２の流速を制御するようにプログラムされている、制御装置と、を備える、薬剤投与システム。
（７）  前記第１の薬剤容器が、第１の長手方向中心軸及び同軸上に整列された第１の外周面部分を有し、前記第１の寸法形状が前記第１の外周面部分を少なくとも含んでいる、実施態様６に記載の薬剤投与システム。
（８）  前記第２の薬剤容器が、第２の長手方向中心軸及び同軸上に整列された第２の外周面部分を有し、前記第２の寸法形状が前記第２の外周面部分を少なくとも含んでいる、実施態様７に記載の薬剤投与システム。
（９）  前記第１及び第２の薬剤容器がそれぞれ第１及び第２の薬剤バイアルであり、前記第１及び第２のポンプアセンブリがそれぞれ静脈内注入ポンプを含む、実施態様８に記載の薬剤投与システム。
（１０）  前記制御装置が、前記医療処置の間に前記患者の複数の生理学的パラメータを受信するようにプログラムされ、かつ前記制御装置が、前記第１及び第２の流速のうち少なくとも一方を、少なくとも前記受信した生理学的パラメータの関数として調節するようにプログラムされている、実施態様８に記載の薬剤投与システム。
【００３８】
（１１）  ａ）第１のバーコードスキャナーと、
ｂ）第１の寸法形状を有する第１の薬剤容器を受容するとともに、前記第１の薬剤容器の、ある位置に配置された第１のバーコードを、前記第１の寸法形状により前記第１のバーコードスキャナーと対向する向きとするように構成された第１の薬剤容器ホルダーであって、前記第１の薬剤容器が第１の薬剤を収容し、前記第１の薬剤容器ホルダーが前記受容された第１の薬剤容器の前記第１の薬剤にアクセスするように構成されている、第１の薬剤容器ホルダーと、
ｃ）第２のバーコードスキャナーと、
ｄ）第２の寸法形状を有する第２の薬剤容器を受容するとともに、前記第２の薬剤容器の、ある位置に配置された第２のバーコードを、前記第１の寸法形状と同じか又は異なりうる前記第２の寸法形状により前記第２のバーコードスキャナーと対向する向きとするように構成された第２の薬剤容器ホルダーであって、前記第２の薬剤容器が第２の薬剤を収容し、前記第２の薬剤容器ホルダーが前記受容された第２の薬剤容器の前記第２の薬剤にアクセスするように構成されている、第２の薬剤容器ホルダーと、
ｅ）前記第１の薬剤にアクセスするように前記第１の薬剤容器ホルダーに動作可能に接続され、患者に前記第１の薬剤を投与するように構成された第１のポンプアセンブリと、
ｆ）前記第２の薬剤にアクセスするように前記第２の薬剤容器ホルダーに動作可能に接続され、前記患者に前記第２の薬剤を投与するように構成された第２のポンプアセンブリと、を備える、薬剤投与システム。
（１２）  前記第１の薬剤が鎮静剤であり、前記第２の薬剤が鎮痛剤である、実施態様１１に記載の薬剤投与システム。
（１３）  前記第１及び第２の薬剤容器がそれぞれ第１及び第２の薬剤バイアルであり、前記第１及び第２のポンプアセンブリがそれぞれ静脈内注入ポンプを含む、実施態様１１に記載の薬剤投与システム。
（１４）  前記第１及び第２の形状が同じである、実施態様１１に記載の薬剤投与システム。
（１５）  前記第１の薬剤容器が、第１の長手方向中心軸及び同軸上に整列された第１の外周面部分を有し、前記第１の寸法形状が前記第１の外周面部分を少なくとも含んでいる、実施態様１４に記載の薬剤投与システム。
（１６）  ａ）第１のバーコードスキャナーと、
ｂ）第１の寸法形状を有する第１の薬剤容器を受容するとともに、前記第１の薬剤容器の、ある位置に配置された第１のバーコードを、前記第１の寸法形状により前記第１のバーコードスキャナーと対向する向きとするように構成された第１の薬剤容器ホルダーであって、前記第１の薬剤容器が鎮静剤を収容し、前記第１の薬剤容器ホルダーが前記受容された第１の薬剤容器の前記鎮静剤にアクセスするように構成されている、第１の薬剤容器ホルダーと、
ｃ）第２のバーコードスキャナーと、
ｄ）前記第１の寸法形状と同じか又は異なる第２の寸法形状を有する第２の薬剤容器を受容するとともに、前記第２の薬剤容器の、ある位置に配置された第２のバーコードを、前記第２の寸法形状により前記第２のバーコードスキャナーと対向する向きとするように構成された第２の薬剤容器ホルダーであって、前記第２の薬剤容器が鎮痛剤を収容し、前記第２の薬剤容器ホルダーが前記受容された第２の薬剤容器の前記鎮痛剤にアクセスするように構成されている、第２の薬剤容器ホルダーと、
ｅ）前記鎮静剤にアクセスするように前記第１の薬剤容器ホルダーに動作可能に接続され、患者に前記鎮静剤を投与するように構成された第１のポンプアセンブリと、
ｆ）前記鎮痛剤にアクセスするように前記第２の薬剤容器ホルダーに動作可能に接続され、前記患者に前記鎮痛剤を投与するように構成された第２のポンプアセンブリと、
ｇ）前記第１及び第２のバーコードスキャナーに、更に前記第１及び第２のポンプアセンブリに動作可能に接続された制御装置であって、ある医療処置に対して、前記スキャンした第１及び第２のバーコードから前記第１の薬剤容器の前記鎮静剤及び前記第２の薬剤容器の前記鎮痛剤の種類（identity）を確認するようにプログラムされており、確認がなされれば、前記医療処置の間に前記患者に前記鎮静剤を投与する前記第１のポンプアセンブリの第１の流速を制御し、かつ、前記医療処置の間に前記患者に前記鎮痛剤を投与する前記第２のポンプアセンブリの第２の流速を制御するように構成されている、制御装置と、を備える、薬剤投与システム。
（１７）  前記第１及び第２の薬剤容器がそれぞれ第１及び第２の薬剤バイアルであり、前記第１及び第２のポンプアセンブリがそれぞれ静脈内注入ポンプを含む、実施態様１６に記載の薬剤投与システム。
（１８）  前記第１及び第２の寸法形状が同じである、実施態様１６に記載の薬剤投与システム。
（１９）  前記第１の薬剤容器が、第１の長手方向中心軸及び同軸上に整列された第１の外周面部分を有し、前記第１の寸法形状が前記第１の外周面部分を少なくとも含んでいる、実施態様１８に記載の薬剤投与システム。
（２０）  前記制御装置が、前記医療処置の間に前記患者の複数の生理学的パラメータを受信するようにプログラムされ、かつ前記制御装置が、前記第１及び第２の流速のうち少なくとも一方を、少なくとも前記受信した生理学的パラメータの関数として調節するようにプログラムされている、実施態様１６に記載の薬剤投与システム。
【００３９】
（２１）  ３個又は４個以上の薬剤容器ホルダーを備える、実施態様１に記載の薬剤投与システム。
（２２）  前記３個又は４個以上の薬剤容器ホルダーにそれぞれ動作可能に接続された３個又は４個以上のポンプアセンブリを備える、実施態様２１に記載の薬剤投与システム。
（２３）  前記３又は４個個以上の薬剤容器ホルダーにそれぞれ動作可能に接続された３個又は４個以上のポンプアセンブリを備える、実施態様１に記載の薬剤投与システム。
（２４）  前記鎮痛剤の負荷用量が最初に投与され、その後、少なくとも１回の前記鎮痛剤の補足的な低容量の用量が長時間にわたって投与される、実施態様４に記載の薬剤投与システム。
（２５）  前記鎮痛剤の負荷用量が最初に投与され、その後、少なくとも１回の前記鎮痛剤の補足的な低容量の用量が長時間にわたって投与される、実施態様１２に記載の薬剤投与システム。
（２６）  前記薬剤容器の１つが鎮痛剤を収容し、前記制御装置が前記鎮痛剤の負荷用量を最初に投与するようにプログラムされ、その後、少なくとも１回の前記鎮痛剤の補足的な低容量の用量が長時間にわたって投与される、実施態様１６に記載の薬剤投与システム。
【図１】
0005705849.tif 000002
【図２】
0005705849.tif 000003
【図３】
0005705849.tif 000004
【図４】
0005705849.tif 000005
【図５】
0005705849.tif 000006
【図６】
0005705849.tif 000007
【図７】
0005705849.tif 000008
【図８】
0005705849.tif 000009
【図９】
0005705849.tif 000010
【図１０】
0005705849.tif 000011
【図１１】
0005705849.tif 000012